(57)【要約】【課題】  粉、粒体等を輸送する上部開口式コンテナーの積載物の飛散防水、及び、積載時、及び、空時の降雨対策として、かつ、コンテナーへの上部ホッパー投入、及び、側部ダンプ投入可能な利便性を有し、かつ、経済性に優れた防水シートの提供を目的とする。【解決手段】所定容量の箱型で上部開口式のコンテナー外枠の巾方向に複数のアーチを配して、上部開口部全面に被覆可能な可撓性防水シートを巾方向に２分割して定間隔に長尺ロッドを配し、かつ、交差する中央部の上部ロッドと下部アーチを十字状に同時拘束する半割の上下リングを一体成型のスライドリングを有してアーチに沿ってスライド可能に配し、かつ、シート前方と後方の左右スライドリングと同アーチ基部間に伸縮スプリングを配して半自動半円開閉式に形成する。【選択図】  図1
2017030825.tif 000002
【特許請求の範囲】
【請求項１】
上方が開放された上部開口部に外枠を有して箱形状に形成されたコンテナー本体に備える可撓性防水シート（以下テントとも言う）であって、上部開口部外枠の巾方向に複数本のアーチが配された開口部全面被覆可能な、かつ、周縁部を本体着脱可能に形成の防水シートを、巾方向中央２分割の長尺に設けて各巾方向所定間隔の長手方向に複数の長尺ロッドを配置し、かつ、該中央左右の交差する長尺ロッドとアーチを上下同時に拘束可能な半割りリングからなる十字状に一体の複数のスライドリングを有してアーチ自在スライド可能に形成、かつ、コンテナー前方及び後方に配置の中央左右のスライドリングとアーチ基部間に伸縮可能なバネ材を配して中央部開閉可能に構成されたコンテナー用防水シート。
【発明の詳細な説明】
【技術分野】
【０００１】
上部開口式コンテナーの防水シートに関する。
【背景技術】
【０００２】
例えば、従来の粉粒体、又は、砂利等の積載物の長距離輸送に於ける上部開口式コンテナーは輸送中の積載物飛散防止のため上部開口部に被覆する膜体を装着することが義務付けられていた。しかし、通常の、上方半回転中央開閉式のカバー方式では両サイドからバケットで、或いは、上部からホッパーで投入する場合には支障があり、又、全面着脱式や、折り畳み式シートでは手間と労力が大変であった。
【発明の概要】
【発明が解決しようとする課題】
【０００３】
本発明は上記課題に着目して案出されたもので、例えば、粉粒体状の積載物輸送に対応可能な、上部開口式のコンテナーを用いて大量輸送を図ろうとする時、防水機能を有し、かつ、車両に搭載の上部開口式コンテナーに両両サイドからダンプカーで、或いは、上部からホッパー等を用いて投入する際、積み込み時の荷役に支障の生ずることの無い、かつ、確実に防水機能を有し、かつ、操作及び作業性の良い、かつ、経済性に優れたスライド開閉式防水シートの提供を目的とする。
【課題を解決するための手段】
【０００４】
本発明は、上記課題を達成するため、請求項１の如く、輸送走行時の積載物の飛散防止、及び、積載時、及び、空時のコンテナーの降雨対策のため、構造が簡単で装着脱の作業性の良い防水シートを形成のため、例えば、後部傾斜排出可能なコンテナー本体の上部開口部の外枠に、既設の梁と併設して、上方に湾曲する複数のアーチを巾方向に配して形成、かつ、このアーチ上部の本体開口部全面に被覆可能な防水シートを、主に、巾方向に２分割の長尺に設け、かつ、この２分割シートを巾方向所定間隔に複数の長尺ロッド入りに形成して左右の周縁部を本体側壁装着脱可能に設け、かつ、中央部を左右方向の半円状にスライドして任意開閉可能に形成するものとし、かつ、本発明は、この２分割シート中央部の左右の各長尺ロッドと上下に交差するアーチを同時拘束する、半割りのリングを上下十字状の一体に成型したスライドリングを防水シート前後部の中央左右に配して夫々の上部リングをシート付きロッドに嵌合固定し、下部リングをアーチに係合してアーチに沿って半円スライド開閉可能に形成され、かつ、此の左右のスライドリング下部とアーチの両端基部間に所定の伸縮可能なスプリング等のバネ材を配して形成し、例えば、シートを遮蔽する時の展張は手動で、開放する時はスプリングのバネで瞬時に分割シート中央部開放可能に設けて外枠内左右に収納可能に形成することが出来る。なお、シートの所定間隔に配置の長尺ロッドは、各裏面に同一の当て板を用いて高周波ウエルダー、又は、縫製、或いは、接着等で固定接合することが出来る。
この様に形成のスプリング開閉式２分割式防水シートは、例えば、コンテナーの開口部巾が２、４００ミリメートルの場合、両端のスプリングの短縮初期成型長を２００ミリメートル以内に設け、伸長距離を１、２００ミリメートル強に設けることによって遮蔽時の手動作業性の負担も軽く、かつ、開放時にはバネの縮小でアーチに沿って外枠内左右に効率良く収納されるため、上部投入ホッパーの底部口部外側に収まって積載物投入作業に全く支障を来すことなく、かつ、サイドからのダンプ投入も可能である。従がって、この様に形成された左右に開閉可能なテントは天候不順の場合は常時張っておいて積み込み時、任意に、かつ、容易にテントの開閉操作を行うことが出来、或いは、好天時のコンテナーの空輸送の場合は常時開放して屋外保管と併せ作業性の便宜の向上を図ることが出来る。  
また、本発明の防水シートの開閉操作はスプリング材と電動機を併用、若しくは、全自動電動開閉式に形成することも出来る。或いは、本防水シートを非分割式にも形成出来る。
【発明の効果】
【０００５】
本発明の粒粉体輸送用の上部開口式コンテナー用の２分割式防水シートは、薄厚の可撓性防水シートを用いて周縁部が着脱可能に形成されて、左右方向に上部開口部のアーチに沿ってスライド開閉、かつ、両サイド収納可能に形成されている為、コンテナー上部開口部に常設ホッパーからの投入、又、サイドからダンプで投入することも可能に形成、かつ、テント開閉操作が、開閉シート両端基部にスプリング等を配して半自動式の任意開閉可能に形成されているため、輸送中の積載物の飛散防止や、可能と降雨対策が同時に大量輸送に対応した荷約作業効率向上可能に、かつ、積み重ねが出来、かつ、極めて経済的である。
【発明を実施するための最良の形態】
【０００６】
以下、本発明の形態を図1、及び、図２、及び、図３によって説明する。
【実施例１】
【０００７】
本発明は、図１の如く防水シート１A、１Bが、例えば、後部傾斜排出可能なコンテナー本体２に装着されて、上部開口部Aの外枠２Aの巾方向に、既設の梁３と共に複数のアーチ４を併設して形成し、かつ、このアーチ4上面の本体開口部A全面に被覆可能な防水シート１A，１Bを巾方向に２分割の長尺に設け、かつ、巾方向の所定間隔に複数の長尺ロッド５を配置して周縁取っ手１a付きに形成して、箱型本体の周囲３側壁面２B、及び、後方開閉扉２C上部面にフック6を配して装着脱可能に形成、かつ、分割防水シート１A、１Bの各アーチ4上に載置して交差する左右中央部の長尺ロッド５に、上下一体成型の十字状スライドリング７を上部に設けた半割のリング７Aを嵌合し、かつ、下部半割りリング７Aをアーチ４に係合して左右のシート１A，１B をアーチ４に沿って左右半円スライド開閉可能に形成し、かつ、前方と後方の左右のスライドリングの下部リング７Bとコンテナーの前後部アーチ４の両端基部４aに伸縮可能な所定長のスプリング8材を配し、初期組み立て時はシート１A，１Bがスプリング8が縮小されて上部外枠２A内の左右に片寄せ縮小可能に形成、かつ、シート１A，１Bを展張して開口部Aを遮蔽する時は手動でスプリング８を中央迄拡伸接触して全面被覆可能に形成し、開放する時は取っ手１aを外すことによってスプリング８のバネの戻りで瞬時に両サイドの外枠２A内に片寄せ収納可能に、かつ、ほぼ常時収納可能に形成して分割シート１A，１B中央開放可能に構成している。なお、スプリング材８は、前記通りコンテナー本体２前後部のアーチ基部４aに装着することが望ましい。また、各長尺ロッド５の装着は、シート裏面の所定間隔に配置して同一シートの当て板(図示しない)を用いて高周波ウエルダー、又は、縫製、或いは、接着等で固定接合出来る。
【０００８】
この様に形成のスプリング開閉式２分割防水シート１A，１Bは、例えば、コンテナー本体２の外枠開口部A巾が２、４００ミリメートルの場合はこれを１，２００ミリメートルとして各スプリング８の短縮された初期成型長を２００ミリメートル以内とし、伸長距離を１、２００ミリメートル強に設けることによって手動遮蔽時の作業負担も軽く形成可能に、かつ、左右両シート１A，1Bの外枠２A内の片寄せ巾も最小化されて投入ホッパー９の底部外脇に収納され、積載物１０投入に全く支障を来すことなく、かつ、コンテナー両サイドからダンプ投入することも可能である。従がって、この様に形成された左右に開閉可能な防水シート１A，１Bは、輸送走行時に於ける積載物の飛散や雨水による濡れと加重を防止し、かつ、空コンテナーへの降雨対策をも可能とする、かつ、着脱開閉作業性にも優れた防水シート１A、１Bが形成出来る。
従がって、天候不順の場合は常時遮蔽しておいて積み込み時、任意に、かつ、容易に防水シート１A、１Bの開閉操作を行うことが出来、また、好天の場合は、空荷時走行、及び、屋外保管の場合共、防水シート１A、１Bを常時開放したままで便を図ることが出来る。なお、本防水シート開閉操作用伸縮部材は弾性ゴム等を用いることも出来る。かつ、スプリング８と電動機を併用、若しくは、全自動電動開閉式に形成することも出来る。或いは、本発明のコンテナー用防水シートは、これを非分割の単体に形成することも出来る。
【図面の簡単な説明】
【０００９】
【図１】本発明の２分割防水シートがコンテナー本体の上部開口部に装着された様子を示す斜視全体図で、片側を部分切欠で示す。
【図２】本発明の防水シートが投入ホッパー下部にあって、コンテナーに半円スライド可能に装着された様子を示す正面断面図て、片側が開放され、片側が開放されて外枠内に収納されたた様子を示す。
【図３】半割りの上下リングが一体成型された十字状スライドリングの拡大斜視図。
【符号の説明】
【００１０】
１A，１B  防水シート        １a    取っ手          ２  コンテナー本体
２A  外枠                  ２B  側壁              ２C  後部開閉扉
３  梁                      ４  アーチ              ４a  アーチの両端基部
５  長尺ロッド                6  フック            ７  スライドリング        
７A  半割りの上部リング    ７B  半割りの下部リング    8  スプリング部材  
９  ホッパー            １０  積載物
A  コンテナーの上部開口部
【図３】
2017030825.tif 000003
【図１】
2017030825.tif 000004
【図２】
2017030825.tif 000005